(57)【特許請求の範囲】
【請求項１】
ネットワークであって、
前記ネットワークは、中継ノード（ＲＮ）を備え、
前記ＲＮは、拡張ノードＢ（ＥＮＢ）によって配分される複数のリソースブロック（ＲＢ）を少なくとも１つのユーザ機器（ＵＥ）に割り当てるように構成されており、
前記ＲＮは、半二重モードで通信するように構成されており、
第１の送信時間間隔（ＴＴＩ）で、完全リソーススケジューリング（ＦＲＳ）は、ダウンリンク通信に使用され、部分リソーススケジューリング（ＰＲＳ）は、アップリンク通信に使用され、
第２のＴＴＩで、ＦＲＳは、アップリンク通信に使用され、ＰＲＳは、ダウンリンク通信に使用される、ネットワーク。
【請求項２】
前記ＲＮは、時分割二重化および周波数分割二重化のうちの１つを使用して、前記ＵＥおよびＥＮＢと通信する、請求項１に記載のネットワーク。
【請求項３】
前記ＲＮは、前記第１のＴＴＩで前記ＵＥおよび前記ＥＮＢから信号を受信し、前記第２のＴＴＩで信号を前記ＵＥおよび前記ＥＮＢに送信し、前記第１のＴＴＩおよび前記第２のＴＴＩは、交互のＴＴＩである、請求項２に記載のネットワーク。
【請求項４】
前記ＥＮＢと通信する複数のＲＮをさらに備え、前記複数のＲＮのそれぞれは、１つ以上の別個のＵＥと通信し、前記複数のＲＮは、前記第１のＴＴＩで前記ＵＥおよびＥＮＢから信号を受信し、前記複数のＲＮは、前記第２のＴＴＩで前記ＵＥおよびＥＮＢに信号を送信する、請求項３に記載のネットワーク。
【請求項５】
前記ＲＮは、２つの送信機と２つの受信機とを備えているか、または、２つの送受信機を備えている、請求項３に記載のネットワーク。
【請求項６】
前記ＥＮＢと通信する複数のＲＮをさらに備え、前記複数のＲＮのそれぞれは、１つ以上の別個のＵＥと通信し、前記複数のＲＮおよびそれぞれのＵＥは、前記第１のＴＴＩで相互に通信（信号を伝送／受信）し、前記複数のＲＮおよびＥＮＢは、前記第２のＴＴＩで相互に通信（信号を伝送／受信）する、請求項２に記載のネットワーク。
【請求項７】
前記ＲＮは、１つの送信機と、１つの受信機とを備えているか、または１つの送受信機を備えている、請求項２に記載のネットワーク。
【請求項８】
複数の伝送時間間隔（ＴＴＩ）の間の「保護」時間は、送信信号と受信信号との間の実質的な重複を防止するために使用される、請求項２に記載のネットワーク。
【請求項９】
ネットワークであって、
前記ネットワークは、拡張ノードＢ（ＥＮＢ）を備え、
前記ＥＮＢは、複数のリソースブロック（ＲＢ）を中継ノード（ＲＮ）に配分するように構成されており、前記複数のＲＢは、少なくとも１つのユーザ機器（ＵＥ）に割り当てられ、
前記ＥＮＢは、半二重モードで通信するように構成されており、
第１の送信時間間隔（ＴＴＩ）で、完全リソーススケジューリング（ＦＲＳ）は、ダウンリンク通信に使用され、部分リソーススケジューリング（ＰＲＳ）は、アップリンク通信に使用され、
第２のＴＴＩで、ＦＲＳは、アップリンク通信に使用され、ＰＲＳは、ダウンリンク通信に使用される、ネットワーク。
【請求項１０】
前記ＲＮは、時分割二重化および周波数分割二重化のうちの１つを使用して、前記ＵＥおよびＥＮＢと通信する、請求項９に記載のネットワーク。
【請求項１１】
前記ＲＮは、前記第１のＴＴＩで前記ＵＥおよび前記ＥＮＢから信号を受信し、前記第２のＴＴＩで信号を前記ＵＥおよび前記ＥＮＢに送信し、前記第１のＴＴＩおよび前記第２のＴＴＩは、交互のＴＴＩである、請求項１０に記載のネットワーク。
【請求項１２】
前記ＥＮＢと通信する複数のＲＮをさらに備え、前記複数のＲＮのそれぞれは、１つ以上の別個のＵＥと通信し、前記複数のＲＮは、前記第１のＴＴＩで前記ＵＥおよびＥＮＢから信号を受信し、前記複数のＲＮは、前記第２のＴＴＩで前記ＵＥおよびＥＮＢに信号を送信する、請求項１１に記載のネットワーク。
【請求項１３】
前記ＲＮは、２つの送信機と２つの受信機とを備えているか、または、２つの送受信機を備えている、請求項１１に記載のネットワーク。
【請求項１４】
前記ＥＮＢと通信する複数のＲＮをさらに備え、前記複数のＲＮのそれぞれは、１つ以上の別個のＵＥと通信し、前記複数のＲＮとそれぞれのＵＥとは、前記第１のＴＴＩで相互に通信（信号を伝送／受信）し、前記複数のＲＮとＥＮＢとは、前記第２のＴＴＩで相互に通信（信号を伝送／受信）する、請求項１０に記載のネットワーク。
【請求項１５】
前記ＲＮは、１つの送信機と１つの受信機とを備えているか、または、１つの送受信機を備えている、請求項１０に記載のネットワーク。
【請求項１６】
複数の伝送時間間隔（ＴＴＩ）の間の「保護」時間は、送信信号と受信信号との間の実質的な重複を防止するために使用される、請求項１０に記載のネットワーク。
【請求項１７】
ユーザ機器（ＵＥ）であって、
前記ユーザ機器（ＵＥ）は、拡張ノードＢ（ＥＮＢ）によって配分される複数のリソースブロック（ＲＢ）の割り当てを中継ノード（ＲＮ）から受信するように構成されている構成要素を備え、
前記構成要素は、半二重モードで通信するように構成されており、
第１の送信時間間隔（ＴＴＩ）で、完全リソーススケジューリング（ＦＲＳ）は、ダウンリンク通信に使用され、部分リソーススケジューリング（ＰＲＳ）は、アップリンク通信に使用され、
第２のＴＴＩで、ＦＲＳは、アップリンク通信に使用され、ＰＲＳは、ダウンリンク通信に使用される、ユーザ機器。
【請求項１８】
前記ＵＥは、時分割（ＴＤ）を使用して前記ＲＮと通信する、請求項１７に記載のＵＥ。
【請求項１９】
前記ＵＥは、前記第１のＴＴＩで信号を前記ＲＮに送信し、前記第２のＴＴＩで前記ＲＮから信号を受信し、前記第１のＴＴＩおよび前記第２のＴＴＩは、交互のＴＴＩである、請求項１８に記載のＵＥ。
【発明の詳細な説明】
【背景技術】
【０００１】
本明細書で使用されるように、用語「ユーザ機器」および「ＵＥ」は、電気通信能力を有する、携帯電話、携帯情報端末、携帯式またはラップトップコンピュータ、および類似のデバイス等の無線デバイスを指すことができる。このようなＵＥは、無線デバイスと、加入者アイデンティティモジュール（ＳＩＭ）アプリケーション、ユニバーサル加入者アイデンティティモジュール（ＵＳＩＭ）アプリケーション、または可撤性ユーザアイデンティティモジュール（Ｒ−ＵＩＭ）アプリケーションを含む、その関連するユニバーサル集積回路カード（ＵＩＣＣ）とからなる場合があり、またはこのようなカードを伴わないデバイス自体から成る場合がある。用語「ＵＥ」はまた、デスクトップコンピュータ、セットトップボックス、またはネットワークノード等の、移動可能ではないが類似した能力を有するデバイスを指す場合がある。ＵＥがネットワークノードである時、ネットワークノードは、無線デバイス等の別の機能に代わって作用し、無線デバイスをシミュレートまたはエミュレートし得る。例えば、いくつかの無線デバイスの場合、典型的にデバイス上に存在するＩＰ（インターネットプロトコル）マルチメディアサブシステム（ＩＭＳ）セッション開始プロトコル（ＳＩＰ）クライアントは、実際は、ネットワーク内に存在して、最適化プロトコルを使用してＳＩＰメッセージ情報をデバイスに中継する。換言すれば、従来は無線デバイスによって実行されていたいくつかの機能は、遠隔ＵＥの形態で分散させることができ、遠隔ＵＥは、ネットワーク内の無線デバイスを表す。用語「ＵＥ」はまた、ＳＩＰセッションを終了することができる、あらゆるハードウェアまたはソフトウェア構成要素を指すことができる。
【発明の概要】
【発明が解決しようとする課題】
【０００２】
従来の無線通信システムでは、基地局の送信装置は、セルとして公知である地理的領域全体を通して信号を送信することによってＵＥと通信することができる。技術が進化するにつれて、これまで不可能であったサービスを提供することができる、より高度な装置が導入されてきた。このような高度な装置には、例えば、基地局または他のシステム以外の拡張ノードＢ（ＥＮＢ）、および従来の無線通信システムの同等の装置よりも進化したデバイスが挙げられる。このような高度な、または次世代の装置は、本明細書でロングタームエボリューション（ＬＴＥ）装置と称され得る。
【課題を解決するための手段】
【０００３】
例えば、無線アクセスネットワーク（ＲＡＮ）で使用され、かつ第３世代パートナーシッププロジェクト（３ＧＰＰ）に対するＬＴＥ−Ａｄｖａｎｃｅｄ（ＬＴＥ−Ａ）に基づく、ＬＴＥ装置は、同じセル内のＵＥと通信する中継ノード（ＲＮ）を含んでもよい。このように、ＲＮまたはその他は、より高いレートまたはより低い送信信号電力で、ＵＥとＥＮＢとの間で遠隔通信を提供するように、ＵＥと、遠隔ＥＮＢまたは他のＬＴＥもしくはＬＴＥ−Ａベースの装置との間の通信または信号を促進する。このような中継技術は、システムスループットおよびセルエッジカバレッジを向上させるように含まれてきた。
本発明はさらに、例えば、以下を提供する。
（項目１）
ネットワークであって、
中継ノード（ＲＮ）を備え、
前記ＲＮは、拡張ノードＢ（ＥＮＢ）によって配分される複数のリソースブロック（ＲＢ）を少なくとも１つのユーザ機器（ＵＥ）に割り当てるように構成される、ネットワーク。
（項目２）
前記ＲＮは、時分割二重化および周波数分割二重化のうちの１つを使用して、前記ＵＥおよびＥＮＢと通信する、項目１に記載のネットワーク。
（項目３）
前記ＲＮは、第１の送信時間間隔（ＴＴＩ）で前記ＵＥおよび前記ＥＮＢから信号を受信し、第２のＴＴＩで信号を前記ＵＥおよび前記ＥＮＢに送信し、前記第１のＴＴＩおよび前記第２のＴＴＩは、交互のＴＴＩである、項目２に記載のネットワーク。
（項目４）
前記ＥＮＢと通信している複数のＲＮをさらに備え、前記ＲＮのそれぞれは、１つ以上の別個のＵＥと通信し、前記複数のＲＮは、前記第１のＴＴＩで前記ＵＥおよびＥＮＢから信号を受信し、前記複数のＲＮは、前記第２のＴＴＩで前記ＵＥおよびＥＮＢに信号を送信する、項目３に記載のネットワーク。
（項目５）
前記ＲＮは、２つの送信機と、２つの受信機とを備えるか、または２つの送受信機を備える、項目３に記載のネットワーク。
（項目６）
前記ＲＮおよび前記ＵＥは、第１の送信時間間隔（ＴＴＩ）で信号を送受信し、前記ＲＮおよび前記ＥＮＢは、第２のＴＴＩで信号を送受信し、前記第１のＴＴＩおよび前記第２のＴＴＩは、交互のＴＴＩである、項目２に記載のネットワーク。
（項目７）
前記ＥＮＢと通信している複数のＲＮをさらに備え、
前記ＲＮのそれぞれは、１つ以上の別個のＵＥと通信し、前記複数のＲＮおよびそれぞれのＵＥは、前記第１のＴＴＩで相互に通信（信号を伝送／受信）し、前記複数のＲＮおよびＥＮＢは、前記第２のＴＴＩで相互に通信（信号を伝送／受信）する、項目６に記載のネットワーク。
（項目８）
前記ＲＮは、１つの送信機と、１つの受信機とを備えるか、または１つの送受信機を備える、項目６に記載のネットワーク。
（項目９）
前記ＲＮは、複数のＵＥとほぼ同じ送信時間間隔（ＴＴＩ）で信号を送受信してもよい、項目２に記載のネットワーク。
（項目１０）
複数の伝送時間間隔（ＴＴＩ）の間の「保護」時間は、送信信号と受信信号との間の実質的な重複を防止するために使用されてもよい、項目２に記載のネットワーク。
（項目１１）
ネットワークであって、
拡張ノードＢ（ＥＮＢ）を備え、
前記ＥＮＢは、複数のリソースブロック（ＲＢ）を中継ノード（ＲＮ）に配分するように構成され、前記ＲＢは、少なくとも１つのユーザ機器（ＵＥ）に割り当てられる、ネットワーク。
（項目１２）
前記ＲＮは、時分割二重化および周波数分割二重化のうちの１つを使用して、前記ＵＥおよびＥＮＢと通信する、項目１１に記載のネットワーク。
（項目１３）
前記ＲＮは、第１の送信時間間隔（ＴＴＩ）で前記ＵＥおよび前記ＥＮＢから信号を受信し、第２のＴＴＩで信号を前記ＵＥおよび前記ＥＮＢに送信し、前記第１のＴＴＩおよび前記第２のＴＴＩは、交互のＴＴＩである、項目１２に記載のネットワーク。
（項目１４）
前記ＥＮＢと通信している複数のＲＮをさらに備え、
前記ＲＮのそれぞれは、１つ以上の別個のＵＥと通信し、前記複数のＲＮは、前記第１のＴＴＩで前記ＵＥおよびＥＮＢから信号を受信し、前記複数のＲＮは、前記第２のＴＴＩで前記ＵＥおよびＥＮＢに信号を送信する、項目１３に記載のネットワーク。
（項目１５）
前記ＲＮは、２つの送信機と、２つの受信機とを備えるか、または２つの送受信機を備える、項目１３に記載のネットワーク。
（項目１６）
前記ＲＮおよび前記ＵＥは、第１の送信時間間隔（ＴＴＩ）で信号を送受信し、前記ＲＮおよび前記ＥＮＢは、第２のＴＴＩで信号を送受信し、前記第１のＴＴＩおよび前記第２のＴＴＩは、交互のＴＴＩである、項目１２に記載のネットワーク。
（項目１７）
前記ＥＮＢと通信している複数のＲＮをさらに備え、
前記ＲＮのそれぞれは、１つ以上の別個のＵＥと通信し、前記複数のＲＮおよびそれぞれのＵＥは、前記第１のＴＴＩで相互に通信（信号を伝送／受信）し、前記複数のＲＮおよびＥＮＢは、前記第２のＴＴＩで相互に通信（信号を伝送／受信）する、項目１６に記載のネットワーク。
（項目１８）
前記ＲＮは、１つの送信機と、１つの受信機とを備えるか、または１つの送受信機を備える、項目１６に記載のネットワーク。
（項目１９）
前記ＲＮは、複数のＵＥとほぼ同じ送信時間間隔（ＴＴＩ）で信号を送受信してもよい、項目１２に記載のネットワーク。
（項目２０）
複数の伝送時間間隔（ＴＴＩ）の間で「保護」時間は、送信信号と受信信号との間の実質的な重複を防止するために使用されてもよい、項目１２に記載のネットワーク。
（項目２１）
ネットワーク内で通信するための方法であって、
時分割（ＴＤ）通信モードを選択することと、
前記選択されたＴＤ通信モードに基づいて、リソーススケジューリングを使用することと
を含む、方法。
（項目２２）
前記ＴＤ通信モードは、半二重モードであり、
完全リソーススケジューリング（ＦＲＳ）は、第１の送信時間間隔（ＴＴＩ）で、ダウンリンク通信に使用され、部分リソーススケジューリング（ＰＲＳ）は、アップリンク通信に使用され、ＦＲＳは、第２のＴＴＩで、アップリンク通信に使用され、ＰＲＳは、ダウンリンク通信に使用される、項目２１に記載の方法。
（項目２３）
前記ダウンリンク通信は、前記第１のＴＴＩで、少なくとも１つの中継ノード（ＲＮ）と、拡張ノードＢ（ＥＮＢ）と直接通信している少なくとも第１のユーザ機器（ＵＥ）との間で確立され、前記アップリンク通信は、前記ＵＥと前記ＥＮＢとの間、および前記ＲＮと前記ＲＮと同じセル内の少なくとも第２のＵＥとの間に確立される、項目２１に記載の方法。
（項目２４）
前記第２のＴＴＩでの前記アップリンク通信は、少なくとも１つの中継ノード（ＲＮ）と、拡張ノードＢ（ＥＮＢ）と直接通信している少なくとも第１のユーザ機器（ＵＥ）との間で確立され、前記ダウンリンク通信は、前記ＵＥと前記ＥＮＢとの間、および前記ＲＮと前記ＲＮと同じセル内の少なくとも第２のＵＥとの間に確立される、項目２１に記載の方法。
（項目２５）
前記ＴＤ通信モードは、全二重モードであり、完全リソーススケジューリング（ＦＲＳ）は、第１の送信時間間隔（ＴＴＩ）で中継リンク通信に使用され、ＰＲＳは、第２のＴＴＩでのアクセスリンク通信に使用される、項目２１に記載の方法。
（項目２６）
複数のリソースブロック（ＲＢ）は、少なくとも１つの中継ノード（ＲＮ）、および拡張ノードＢ（ＥＮＢ）と直接通信している第１のユーザ機器（ＵＥ）に配分され、前記ＲＮに配分される前記リソースブロックのうちの少なくともいくつかは、前記ＲＮと同じセル内の少なくとも第２のＵＥに割り当てられる、項目２１に記載の方法。
（項目２７）
前記ＲＢのうちの少なくともいくつかは、ボイスオーバーＩＰ（ＶｏＩＰ）サービスまたは他のリアルタイムサービスのために確保され、前記確保されたＲＢは、前記ＲＮ、前記第１のＵＥ、または前記第２のＵＥに配分されない、項目２６に記載の方法。
（項目２８）
異なる時間において、異なる周波数を使用して、または、これらの両方で、少なくとも１つの中継ノード（ＲＮ）と少なくとも１つの第１のユーザ機器（ＵＥ）との間、前記ＲＮと拡張ノードＢ（ＥＮＢ）との間、および前記ＥＮＢと少なくとも１つの第２のＵＥとの間で、信号を交換することにより、信号間の実質的な干渉を低減することを含む、方法。
（項目２９）
前記信号は、前記ＲＮおよび前記第２のＵＥが相互に比較的に近いときに、異なる時間において、異なる周波数を使用して、または、これらの両方で、交換される、項目２８に記載の方法。
（項目３０）
前記信号は、前記ＲＮおよび前記第２のＵＥが相互から比較的に遠いときに、ほぼ同時に、同じ周波数を使用して、または、これらの両方で、交換される、項目２８に記載の方法。
（項目３１）
前記信号は、ほぼ同時に、複数の第１のＵＥに異なる周波数を使用して、交換される、項目２８に記載の方法。
（項目３２）
ユーザ機器（ＵＥ）であって、
拡張ノードＢ（ＥＮＢ）によって配分される複数のリソースブロック（ＲＢ）の中継ノード（ＲＮ）から割り当てを受信するように構成される構成要素を備える、ユーザ機器。
（項目３３）
前記ＵＥは、時分割（ＴＤ）を使用して前記ＲＮと通信する、項目３２に記載のＵＥ。
（項目３４）
前記ＵＥは、第１の送信時間間隔（ＴＴＩ）で信号を前記ＲＮに送信し、第２のＴＴＩで前記ＲＮから信号を受信し、前記第１のＴＴＩおよび前記第２のＴＴＩは、交互のＴＴＩである、項目３３に記載のＵＥ。
（項目３５）
前記ＲＮおよび前記ＵＥは、第１の送信時間間隔（ＴＴＩ）で信号を送受信し、前記ＲＮおよび前記ＥＮＢは、第２のＴＴＩで信号を送受信し、前記第１のＴＴＩおよび前記第２のＴＴＩは、交互のＴＴＩである、項目３３に記載のＵＥ。
【図面の簡単な説明】
【０００４】
本開示をより完全に理解するために、添付の図面および発明を実施するための形態と併せて理解される、以下の簡単な説明を参照し、類似参照数字は、類似部品を表す。
【図１】図１は、本開示の一実施形態によるＬＴＥ−Ａシステムの図である。
【図２】図２は、本開示の一実施形態による通信モードの図である。
【図３】図３は、開示の一実施形態による別の通信モードの図である。
【図４】図４は、本開示の一実施形態によるＬＴＥ−Ａシステムにおける、通信干渉のシナリオの図である。
【図５】図５は、本開示の一実施形態によるＬＴＥ−Ａシステムにおける、通信干渉の別のシナリオの図である。
【図６】図６は、本開示の実施形態による、第１の時間間隔での信号干渉を防止するための通信モードの図である。
【図７】図７は、本開示の別の実施形態による、第２の時間間隔での信号干渉を防止するための通信モードの図である。
【図８】図８は、本開示の実施形態による、信号干渉を防止するための通信モードのためのリソースブロックスケジューリングの図である。
【図９】図９は、本開示の一実施形態による、信号干渉を防止するための方法のフローチャートである。
【図１０】図１０は、本開示の種々の実施形態のうちのいくつかに対して動作可能なユーザエージェントを含む、無線通信システムの図である。
【図１１】図１１は、本開示の種々の実施形態のうちのいくつかに対して動作可能なユーザエージェントのブロック図である。
【図１２】図１２は、本開示の種々の実施形態のうちのいくつかに対して動作可能なユーザ機器上に実装され得る、ソフトウェア環境の図である。
【図１３】図１３は、本開示の複数の実施形態を実装するのに好適である、例示的な汎用コンピュータシステムを例証する。
【発明を実施するための形態】
【０００５】
最初に、本開示の１つ以上の実施形態の例示的な実装例を以下に提供するが、開示されるシステムおよび／または方法は、現在公知であるか、存在しているかに関わらず、任意の数の技術を使用して実装されてもよいことを理解されたい。本開示は、本明細書に示され、説明される例示的な設計および実装例を含む、以下に示される例示的な実装例、図面、および技術に限定されるべきではなく、同等物の十分な範囲とともに、添付の特許請求の範囲の範囲内で修正されてもよい。
【０００６】
ＲＮは、周波数分割二重（ＦＤＤ）方式を使用して、ＵＥとＥＮＢとの間で信号を中継してもよく、信号は、異なる周波数で送受信される。このように、ＲＮは、受信信号と送信信号との間で、低減された信号干渉を伴って、ほぼ同時に信号を送受信してもよい。しかしながら、ＵＥおよびＥＮＢに対してほぼ同時に信号を送受信することは、ＲＮにおける送信機、受信機または送受信機に関する技術的課題のため、困難になり得る。したがって、ＲＮは、時分割（ＴＤ）方式を使用してＵＥおよびＥＮＢに信号を中継してもよく、信号は、異なる送信時間間隔（ＴＴＩ）で、送信、受信、または両方が行われてもよい。
【０００７】
ＴＤを使用してＲＮで信号を送受信するためのシステムおよび方法を、本明細書に開示する。例えば、半二重ＴＤモードを使用して、ＲＮは、交互手法で、ほぼ第１のＴＴＩ（またはＴ１）で、アクセスリンクを介して同じセル内のＵＥから、および中継リンクを介してＥＮＢから信号を受信し、また、交互手法で、ほぼ第２のＴＴＩ（またはＴ２）で、ＵＥおよびＥＮＢに信号を送信してもよい。代替的に、全二重ＴＤモードを使用して、ＵＥの信号は、ほぼＴ１で送受信されてもよい一方で、ＥＮＢの信号は、ほぼＴ２で送受信されてもよい。加えて、以下にさらに詳細に説明する、ＥＮＢにおける完全リソーススケジューリング（ＦＲＳ）またはＥＮＢおよびＲＮにおける部分リソーススケジューリング（ＰＲＳ）は、異なる構成要素における信号干渉を低減するために使用されてもよい。例えば、半二重モードのほぼＴ１で、ＲＮへの、およびＥＮＢと直接通信しているＵＥへの全てのダウンリンク通信をＥＮＢでスケジューリングするために、ＦＲＳを使用してもよい。加えて、ＲＮからの、およびＥＮＢと直接通信しているＵＥからのアップリンク通信を、ＥＮＢでスケジューリングするために、およびＲＮと同じセル内のＵＥからのアップリンク通信を、ＲＮでスケジューリングするために、ＰＲＳを使用してもよい。さらに、ほぼＴ２で、ＲＮからの、およびＥＮＢと直接通信しているＵＥからの全てのアップリンク通信をＥＮＢでスケジューリングするために、ＦＲＳを使用してもよい。加えて、ＲＮへの、およびＥＮＢと直接通信しているＵＥへのダウンリンク通信をＥＮＢでスケジューリングするために、およびＲＮと同じセル内のＵＥへのダウンリンク通信をＲＮでスケジューリングするために、ＰＲＳを使用してもよい。代替的に、全二重モードでは、中継リンクを介して通信するために、ほぼＴ１でＦＲＳを使用してもよく、また、アクセスリンクを介して通信するために、ほぼＴ２でＰＲＳを使用してもよい。加えて、いくつかの実施形態では、本開示は、ＥＮＢとＲＮとの間の独立したスケジューリングによって引き起こされる場合のある干渉を低減するように、固定または半静的に関わらず、物理ダウンリンク共有チャネル（ＰＤＳＣＨ）／物理アップリンク共有チャネル（ＰＵＳＣＨ）リソースをＲＮに割り当てる、ＥＮＢまたはアクセスデバイスを提供する。
【０００８】
図１は、３ＧＰＰで説明されるようにＬＴＥ−Ａシステムであり得る、ＲＡＮ１００の実施形態を例証する。図１は、例示的なものであり、他の実施形態では他の構成要素またはアレンジメントを有してもよい。ある実施形態では、ＲＡＮ１００は、少なくとも１つのアクセスデバイス１１０と、少なくとも１つのＲＮ１２０と、少なくとも１つのＵＥ１３０とを備えてもよい。アクセスデバイス１１０は、ＥＮＢ、基地局、またはＵＥ１３０のためのネットワークアクセスを促進する他の構成要素であってもよい。アクセスデバイス１１０は、直接リンクを介して、同じセル内にあり得る、任意のＵＥ１３０と直接通信してもよい。例えば、直接リンクは、アクセスデバイス１１０とＵＥ１３０との間に確立されるポイントツーポイントリンクであって、２つの間で信号を送受信するために使用されてもよい。アクセスデバイス１１０は、中継リンクを介してＲＮ１２０のうちの少なくともいくつかと、または他のアクセスデバイス１１０と通信してもよい。加えて、アクセスデバイス１１０は、例えば類似した、または異なるネットワークプロトコルもしくは技術を使用して、ＲＡＮ１００の構成要素の他のネットワークへのアクセスを提供するように、他の構成要素またはデバイスと通信してもよい。
【０００９】
ＲＮ１２０は、レイヤ１（Ｌ１）中継器、レイヤ２（Ｌ２）中継器、およびレイヤ３（Ｌ３）中継器といった、３種類のデバイスのうちの少なくとも１つを備えてもよい。Ｌ１中継器は、ＵＥ１３０とアクセスデバイス１１０との間で（信号の復調／復号を伴わずに）信号を受信および再送信する、リピータであってもよい。Ｌ２中継器は、例えばＴＤおよび／またはＦＤＤを使用して、信号を送受信してもよい。Ｌ２中継器は、送信信頼性を向上させるように、例えば無線条件に基づいて、受信信号を復調して、再送信の前に受信した信号を変調してもよい。加えて、Ｌ２中継器は、ＵＥ１３０またはアクセスデバイス１１０から信号を送受信するための、リソーススケジューリングを使用してもよい。Ｌ３中継器は、アクセスデバイス１１０に類似して構成される、または無線リソース管理およびリソーススケジューリング等の、アクセスデバイス１１０の機能のうちの少なくともいくつかを備える、ミニＥＮＢであってもよい。
【００１０】
ＲＮ１２０は、ＵＥ１３０とアクセスデバイス１１０との間で間接通信を確立するように、アクセスリンクを介して同じセル内のＵＥ１３０と、および中継リンクを介してアクセスデバイス１１０と通信してもよい。例えば、アクセスリンクは、ＲＮ１２０とＵＥ１３０との間で信号を交換するように確立される、ポイントツーポイントリンクであってもよく、中継リンクは、ＲＮ１２０とアクセスデバイス１１０との間で信号を交換するように確立される、ポイントツーポイントリンクであってもよい。さらに、ＵＥ１３０は、ハンドオーバーのため、異なるアクセスデバイス１１０またはＲＮ１２０に対応するセルの間で移動してもよい。したがって、ＵＥ１３０は、直接リンクを介してアクセスデバイス１１０との、またはアクセスリンクを介して異なるＲＮ１２０との通信を確立してもよい。さらに、ＵＥ１３０は、アクセスデバイス１１０と確立される直接リンクを使用して、またはＲＮ１２０と確立されるアクセスリンク、およびＲＮ１２０とアクセスデバイス１１０との間の中継リンクを使用して、相互に通信してもよい。
【００１１】
図２は、それはＲＡＮ２００内で使用され得る、通信モードの実施形態を例証する。ＲＡＮ２００は、前述のＲＡＮ１００の対応する構成要素に類似し得る、ＲＮ２１０と、ＲＮ２１０と同じセル内の少なくとも１つのＵＥ２２０と、ＥＮＢ２３０とを備えてもよい。通信モードは、ＲＮ２１０が、例えばＦＤＤを使用して、ＵＥ２２０とのアクセスリンクおよびＥＮＢ２３０との中継リンクを介して、どのように信号を送信および／または受信するのかを表す。同じ周波数を使用して同時に信号を送受信するＲＮ２１０を得ることが技術的に困難であるので、ＲＮ２１０は、ＴＤを使用して信号を送受信するように構成されてもよい。
【００１２】
具体的には、通信モードは半二重ＴＤモードであってもよく、ＲＮ２１０は、例えば第１のＴＴＩ（Ｔ１）および第２のＴＴＩ（Ｔ２）といった、異なるＴＴＩで信号を送受信してもよく、ここで、Ｔ１およびＴ２は、交互の時間間隔である。交互のＴＴＩは、トラフィック負荷、無線条件等に基づいて、ほぼ同等に設定してもよく、または同等ではなくてもよい。ある実施形態では、ＲＮ２１０は、ほぼＴ１で、アクセスリンクを介してＵＥ２２０から信号を、また、中継リンクを介してＮＢ２３０から信号を受信してもよい。次いで、ＲＮ２１０は、ほぼＴ２で、ＵＥ２２０およびＥＮＢ２３０に信号を送信してもよい。故に、ＲＮ２１０は、半二重ＴＤモードで動作するように、２つの送信機と、２つの受信機とを、または２つの送受信機を備えてもよい。いくつかの実施形態では、時間の一時停止を追加して、Ｔ１およびＴ２での信号の送信と受信との間でいかなる重複もないことを確実にするために、Ｔ１とＴ２の間で「保護」時間を使用してもよく、該重複は、信号の移動時間、または処理、タイミング、もしくは他の遅延等のシステムによってもたらされる遅延により生じ得る。
【００１３】
ある実施形態では、ＲＮ２１０は、Ｌ２中継器またはＬ３中継器であってもよく、例えばリソースブロック（ＲＢ）、時間スロット等を割り当てることによって、ＵＥ２２０および同じセル内の他のＵＥ２２０とのアクセスリンクを介して、送信をスケジューリングしてもよい。さらに、同じセル内の全てのＵＥ２２０は、それらの対応するアクセスリンクを介して、ほぼＴ１で、信号をＲＮ２１０に送信し、ほぼＴ２で、ＲＮ２１０から信号を受信してもよい。
【００１４】
図３は、ＲＡＮ３００で使用され得る、通信モードの別の実施形態を例証する。ＲＡＮ２００と同様に、ＲＡＮ３００は、ＲＮ３１０と、ＲＮ３１０と同じセル内の少なくとも１つのＵＥ３２０と、ＥＮＢ３３０とを備えてもよい。通信モードは、全二重ＴＤモードであってもよく、ＲＮ２１０は、ほぼＴ１で、アクセスリンクを介してＵＥ３２０の信号を送受信し、ほぼＴ２で、中継リンクを介してＥＮＢ３３０の信号を送受信してもよく、ここで、Ｔ１およびＴ２は、交互のＴＴＩである。Ｔ１とＴ２間の「保護」時間はまた、システムまたは他の遅延を補うために使用されてもよい。故に、ＲＮ２１０は、全二重ＴＤモードで動作するように、１つの送信機と、１つの受信機とを、または１つの送受信機を備えてもよい。ＲＮ２１０と同様に、ＲＮ３１０は、Ｌ２中継器またはＬ３中継器であってもよく、ほぼＴ１で、それらのアクセスリンクを介して異なるＵＥ３２０と通信するように、ＲＢを割り当ててもよい。いくつかの実施形態において、ＲＡＮ３００はまた、ＵＥ３２２を備えてもよく、このＵＥ３２２は、ＲＮ３１０およびＵＥ３２０を含むドナーセル（ＲＮによってカバーされる）の外側に位置してもよく、直接リンクを介してＥＮＢ２３０と直接通信し得る。
【００１５】
ＥＮＢ２３０の同じセル内の複数のＲＮの場合、各ＲＮは、それ自体のＴ１／Ｔ２割り当てパターン（例えば、異なるＴ１／Ｔ２持続時間、繰り返しパターン等）を有してもよい。システムを簡略化し、かつ潜在的干渉を低減するためであるが、一実施形態は、同じＴ１／Ｔ２パターンを、ＥＮＢ２３０の同じセル内の全てのＲＮに割り当てるものであり、これは、同期ＲＮと称される。例えば、一実施形態では、全てのＲＮは、実質的に同じ時間（Ｔ２）で、信号をＥＮＢから／に、受信／送信する一方で、全てのＲＮは、実質的に同じ時間（Ｔ１）中に、信号をＵＥから／に、受信／送信し、ここで、Ｔ１およびＴ２は、異なる時間である。
【００１６】
図４は、ＲＡＮ２００の構成要素のうちのいくつかの間での信号干渉のシナリオを例証する。ＲＡＮ２００は、直接リンクを介してＥＮＢ２３０と直接通信し得る、ＵＥ２２２を備えてもよい。例えば、ＵＥ２２２は、ＲＮ２１０またはＲＡＮ２００内の他のＲＮを含むドナーセルの外側に位置してもよい。したがって、ＵＥ２２２は、ＲＮ２１０とのアクセスリンクを使用しなくてもよい。さらに、ＵＥ２２２は、ＲＮ２１０がＵＥ２２０およびＥＮＢ２３０から信号を受信したときに、ほぼ同時（Ｔ１）に、ＵＥ２２２とＥＮＢ２３０との間の直接リンクを使用して、ＥＮＢ２３０と通信してもよい。
【００１７】
具体的には、ＵＥ２２２およびＥＮＢ２３０は、ほぼＴ１で、ＥＮＢ２３０からＵＥ２２２へのダウンリンク通信、およびＵＥ２２２からＥＮＢ２３０へのアップリンク通信を確立してもよい。また、半二重ＴＤモードのほぼＴ１で、ＲＮ２１０は、ＥＮＢ２３０とのダウンリンク通信、およびＵＥ２２０とのアップリンク通信を確立してもよい。結果的に、ＲＮ２１０は、ほぼ同時に、ＵＥ２２２からアップリンク通信に対応する信号を、およびＵＥ２２０からアップリンク通信に対応する信号を受信し得る。加えて、信号は、同じＲＢを割り当てられてもよく、またはほぼ同じ周波数で送信され得る。したがって、ＵＥ２２０およびＵＥ２２２からのアップリンク信号は、ＲＮ２１０で干渉し得、送信品質に影響を及ぼし得、または通信エラーをもたらし得る。同様に、ＥＮＢ２３０は、ほぼ同時に、ＵＥ２２２からアップリンク通信に対応する信号を、およびＵＥ２２０からアップリンク通信に対応する信号を受信し得るが、これも信号干渉を引き起こし得る。
【００１８】
図４のシナリオでは、全てのダウンリンク通信は、ほぼＴ１で、ＥＮＢ２３０でスケジューリングされてもよい。ダウンリンク通信は、直接リンクを介したＥＮＢ２３０とＵＥ２２２との間のダウンリンク通信と、中継リンクを介したＥＮＢ２３０とＲＮ２１０との間のダウンリンク通信（ＥＮＢは、ＲＢをこれらの２つのリンクに割り当てる）とを備えてもよいが、アクセスリンクを介したＲＮ２１０とＵＥ２２０との間のダウンリンク通信は備えなくてもよい。したがって、ＵＥ２２０、同じセル内に位置し得る他のＵＥ、またはＵＥ２２２で受信される信号の間のダウンリンク通信には、いかなる実質的な干渉もない。
【００１９】
図５は、ＲＡＮ２００の構成要素のうちのいくつかの間の信号干渉の別のシナリオを例証する。例えば、ＵＥ２２２は、ＲＮ２１０がＵＥ２２０およびＥＮＢ２３０に信号を送信したときに、ほぼ同時（Ｔ２）に、ＥＮＢ２３０と通信してもよい。このように、ＵＥ２２２およびＥＮＢ２３０は、ほぼＴ２で、ダウンリンク通信およびアップリンク通信を確立してもよい。また、半二重ＴＤモードのほぼＴ２で、ＲＮ２１０は、ＵＥ２２０とのダウンリンク通信、およびＥＮＢ２３０とのアップリンク通信を確立してもよい。結果的に、ＵＥ２２２は、ほぼ同時に、ＲＮ２１０からダウンリンク通信に対応する信号を、およびＥＮＢ２３０からダウンリンク通信に対応する信号を受信し得る。したがって、信号がほぼ同じ周波数で送信されたときに、ＲＮ２１０およびＥＮＢ２３０からのアップリンク信号は、ＵＥ２２２で干渉し得る。同様に、ＵＥ２２０は、ほぼ同時に、ＲＮ２１０およびＥＮＢ２３０からダウンリンク通信に対応する信号を受信し得、ＵＥ２２０で信号干渉を引き起こし得る。
【００２０】
図５のシナリオでは、全てのアップリンク通信は、ほぼＴ２で、ＥＮＢ２３０でスケジューリングされてもよい。アップリンク通信は、直接リンクを介したＥＮＢ２３０とＵＥ２２２との間のアップリンク通信と、中継リンクを介したＥＮＢ２３０とＲＮ２１０との間のアップリンク通信（ＥＮＢは、ＲＢをこれらの２つのリンクに割り当てる）とを備えてもよいが、アクセスリンクを介したＲＮ２１０とＵＥ２２０との間のアップリンク通信は備えなくてもよい。したがって、ＵＥ２２０、同じセル内に位置し得る他のＵＥ、またはＵＥ２２２からのＲＮ２１０で受信される信号の間のアップリンク通信には、いかなる実質的な干渉もない。
【００２１】
図６は、ＲＡＮ６００の信号干渉を低減するための通信モードの実施形態を例証する。具体的には、ＲＡＮ６００は、複数のＲＮ６１０と、ＲＮ６１０の同じセル内の複数のＵＥ６２０と、ＲＮ６１０のドナーセルの外側の複数のＵＥ６２２と、少なくとも１つのＥＮＢ６３０とを備える。ＵＥ６２２は、例えば直接リンクを使用して、ＥＮＢ６３０とのアップリンクおよびダウンリンク通信を直接的に確立してもよい。ＵＥ６２０は、同じセル内のＲＮ６１０とのアクセスリンク、およびＲＮ６１０とＥＮＢ６３０との間の中継リンクを使用して、ＥＮＢ６３０と間接的に通信してもよい。
【００２２】
ＲＮ６１０は、ＵＥ６２０およびＥＮＢ６３０との通信を確立するために、半二重ＴＤモードを使用してもよい。したがって、前述のように、ほぼＴ１でのダウンリンク通信、およびほぼＴ２でのアップリンク通信には、いかなる実質的な干渉もあり得ない。さらに、Ｔ１では、ＥＮＢ６３０は、同じセル内の全てのＲＮ６１０とＵＥ６２０との間のアップリンク通信のために、周波数リソース等のＲＢをＲＮに中央に配分または再配置してもよい。Ｔ２では、ＥＮＢ６３０は、同じセル内の全てのＲＮ６１０とＵＥ６２０との間のダウンリンク通信のために、周波数リソース等のＲＢをＲＮに中央に配分または再配置してもよい。例えば、ＥＮＢ６３０は、信号干渉を低減するように、異なるＲＢを個々のＲＮ６１０に配分してもよい。いくつかの実施形態では、ＥＮＢ６３０は、同じＲＢを、相互から遠くに位置し得る異なるＲＮ６１０に配分してもよく、したがって、いかなる実質的な信号干渉も受け得ず、またはもたらし得ない。さらに、ＥＮＢ６３０は、ボイスオーバーＩＰ（ＶｏＩＰ）または他のリアルタイムサービス等のいくつかのネットワークサービスのために、ＲＮ６１０に配分され得ない、いくつかのＲＢを確保してもよい。
【００２３】
ＲＮ６１０は、ＥＮＢ６３０によって配分されたＲＢを使用して、同じセル内のＵＥ６２０との送信および受信を独立してスケジューリングしてもよい。例えば、ＲＮ６１０は、半二重ＴＤモードの代替のＴＴＩを同じセル内の全てのＵＥ６２０に割り当ててもよく、また、異なる配分された周波数帯域を各ＵＥ６２０に割り当ててもよい。ＥＮＢによってＲＮに配分されたＲＢは、固定されてもよく、または半静的であってもよく、配分された周波数は、負荷またはチャネル条件に基づいて、ＥＮＢ６３０によって変更されてもよい。
【００２４】
具体的には、図６は、ほぼＴ１でのＲＡＮ６００の異なる構成要素間でのダウンリンクおよびアップリンク通信を例証する。ＥＮＢ６３０は、ＵＥ６２２との直接リンクを介した、およびＲＮ６１０との中継リンクを介した、全てのダウンリンク通信をスケジューリングしてもよく、これをＦＲＳと称する。しかしながら、ＥＮＢ６３０は、ＵＥ６２２との直接リンクを介したアップリンク通信をスケジューリングしてもよい一方で、ＲＮ６１０は、同じセル内のＵＥ６２０とのアクセスリンクを介したアップリンク通信をスケジューリングしてもよく、これをＰＲＳと称する。ＰＲＳに従って、ＥＮＢ６３０はまた、ＵＥ６２２およびＲＮ６１０とのアップリンク通信のために、ＲＢをＲＮに配分してもよい。その結果、ＲＮ６１０は、配分されたＲＢを同じセル内のＵＥ６２０に割り当ててもよい。このように、ＵＥ６２０は、残りのＵＥ６２０またはＵＥ６２２とは異なる配分されたＲＢまたは異なる周波数であってもよい。いくつかの実施形態では、ＲＮに配分されるＲＢは、ＲＮ６１０の場所に応じて、異なるＲＮ内で再使用されてもよい。
【００２５】
図７は、ＲＡＮ６００の信号干渉を防止するための通信モードの別の実施形態を例証する。具体的には、図７は、ほぼＴ２でのＲＡＮ６００の異なる構成要素間でのダウンリンクおよびアップリンク通信を例証する。ＥＮＢ６３０は、ＵＥ６２２との直接リンクを介した、およびＲＮ６１０との中継リンクを介した、全てのアップリンク通信をスケジューリングするために、ＦＲＳを使用してもよい。加えて、ＥＮＢ６３０は、ＵＥ６２２との直接リンクを介したダウンリンク通信をスケジューリングするために、ＰＲＳを使用してもよい一方で、ＲＮ６１０は、同じセル内のＵＥ６２０とのアクセスリンクを介したダウンリンク通信をスケジューリングしてもよい。故に、ＥＮＢ６３０は、ＵＥ６２２およびＲＮ６１０とのダウンリンク通信のために、ＲＢをＲＮに配分してもよく、配分されたＲＢを同じセル内のＵＥ６２０に割り当ててもよい。
【００２６】
図８は、例えばＲＡＮ３００内で、全二重ＴＤモードおよびＦＤＤを使用して、通信干渉を低減するためのリソースブロックスケジューリング８００を例証する。全二重ＴＤモードを使用して、ＲＮ３１０は、ほぼＴ１で、アクセスリンクを介して同じセル内ＵＥ３２０と、およびＴ２で、中継リンクを介してＥＮＢ３３０と通信してもよい。ＲＮのセルの外側に位置するＵＥ３２２が、ほぼＴ１で、直接リンクを介してＥＮＢ３３０と通信する時、ＵＥ３２２またはＲＮ３１０は、アップリンクおよびダウンリンクの両方の通信で少なくともいくらかの信号干渉を受け得る。しかしながら、ＵＥ３２２が、ほぼＴ２で、ＥＮＢ３３０と通信する場合、ＲＮ３１０とＵＥ３２０との間で、アクセスリンクを介して、いかなるアップリンクまたはダウンリンク通信も行われない。同様に、ＲＮ３１０は、ほぼＴ２で、中継リンクを介してＥＮＢ３３０と通信してもよい。故に、ＥＮＢ３３０は、ＦＤＤ通信をスケジューリングして、ＲＢをＵＥ３２２およびＲＮ３１０に配分し、実質的な干渉を低減するために、前述のように、Ｔ２中にＦＲＳを使用し、Ｔ１中にＰＲＳを使用してもよい。さらに、図８に示されるように、ＦＲＳは、ほぼＴ２で、アクセスリンクに加えて、中継リンクを介した通信に使用されてもよい一方で、ＰＲＳは、ほぼＴ１で、アクセスリンクを介した通信に使用されてもよい。
【００２７】
図９は、ＲＮを含むＲＡＮ内の通信干渉を低減するための方法９００を例証する。ブロック９１０で、方法９００は、ＲＮと、同じセル内の少なくとも１つのＵＥと、ＥＮＢまたは類似したアクセスデバイスとの間で、ＦＤＤ通信等の通信を確立するように、ＴＤ通信モードを選択してもよい。いくつかの実施形態では、複数のＲＮは、同じまたは異なるＴＤ通信モードを使用してもよい。例えば、ＴＤ通信モードは、等しくても等しくなくてもよい、少なくとも２つの交互のＴＴＩを備える、全二重モードまたは半二重モードであってもよい。ブロック９２０で、方法９００は、選択されたＴＤ通信モードに基づいて、異なるＴＴＩにＦＲＳまたはＰＲＳを使用してもよい。例えば、半二重モードが選択された場合、方法９００は、ほぼＴ１で、全てのダウンリンク通信にＦＲＳを使用し、アップリンク通信にＰＲＳを使用してもよく、ほぼＴ２で、全てのアップリンク通信にＦＲＳを使用し、ダウンリンク通信にＰＲＳを使用してもよい。代替的に、全二重モードが選択された場合、方法９００は、ほぼＴ２で、中継リンク通信にＦＲＳを使用し、ほぼＴ１で、アクセスリンク通信にＰＲＳを使用してもよい。
【００２８】
図１０は、ＵＥ１００１の例示的実施形態を含む、無線通信システムを例証する。ＵＥ１００１は、本開示の側面を実装するために動作可能であるが、本開示は、これらの実装に限定されるべきではない。携帯電話として図示されているが、ＵＥ１００１は、無線ハンドセット、ポケットベル、携帯情報端末（ＰＤＡ）、携帯用コンピュータ、タブレットコンピュータ、ラップトップコンピュータを含む、種々の形態を成してもよい。多くの好適なデバイスは、これらの機能のうちのいくつかまたは全てを組み合わせる。本開示のいくつかの実施形態では、ＵＥ１００１は、携帯用、ラップトップ、またはタブレットコンピュータのような汎用コンピュータデバイスではなく、むしろ、携帯電話、無線ハンドセット、ポケットベル、ＰＤＡ、または車両内に搭載される電気通信デバイス等の特殊用途通信デバイスである。別の実施形態では、ＵＥ１００１は、携帯用、ラップトップ、または他のコンピュータデバイスであってもよい。ＵＥ１００１は、ゲーム、在庫管理、ジョブ制御、および／またはタスク管理機能等、特殊活動をサポートしてもよい。
【００２９】
ＵＥ１００１は、ディスプレイ１００２を含む。また、ＵＥ１００１は、ユーザによる入力のために、概して１００４と称される、タッチセンサ式表面、キーボード、または他の入力キーも含む。キーボードは、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。ＵＥ１００１は、ユーザが選択するためのオプション、ユーザが作動させるための制御、および／またはユーザが指図するためのカーソルあるいは他の指標を提示してもよい。
【００３０】
さらに、ＵＥ１００１は、ダイヤルする番号、またはＵＥ１００１の動作を構成するための種々のパラメータ値を含む、ユーザからのデータ入力を受け取ってもよい。さらに、ＵＥ１００１は、ユーザコマンドに応じて、１つ以上のソフトウェアまたはファームウェアアプリケーションを実行してもよい。これらのアプリケーションは、ユーザ対話に応じて、種々のカスタマイズされた機能を果たすようにＵＥ１００１を構成してもよい。加えて、ＵＥ１００１は、例えば、無線基地局、無線アクセスポイント、またはピアＵＥ１００１から、無線でプログラムおよび／または構成されてもよい。
【００３１】
ＵＥ１００１によって実行可能な種々のアプリケーションの中には、ディスプレイ１００２がウェブページを表示することを可能にするウェブブラウザがある。ウェブページは、無線ネットワークアクセスノード、携帯電話の基地局、ピアＵＥ１００１、または任意の他の無線通信ネットワークあるいはシステム１０００との無線通信を介して、取得されてもよい。ネットワーク１０００は、インターネット等の有線ネットワーク１００８に連結される。無線リンクおよび有線ネットワークを介して、ＵＥ１００１は、サーバ１０１０等の種々のサーバ上の情報へのアクセスを有する。サーバ１０１０は、ディスプレイ１００２上に表示され得る、コンテンツを提供してもよい。代替として、ＵＥ１００１は、中継式またはホップ式の接続において、媒介として作用するピアＵＥ１００１を通して、ネットワーク１０００にアクセスしてもよい。
【００３２】
図１１は、ＵＥ１００１のブロック図を示す。ＵＥ１００１の公知の種々の構成要素が描写されるが、ある実施形態では、列挙された構成要素のサブセットおよび／または列挙されていない付加的構成要素が、ＵＥ１００１に含まれてもよい。ＵＥ１００１は、デジタル信号プロセッサ（ＤＳＰ）１１０２と、メモリ１１０４とを含む。示されるように、ＵＥ１００１はさらに、アンテナおよびフロントエンドユニット１１０６と、無線周波数（ＲＦ）送受信機１１０８と、アナログベースバンド処理ユニット１１１０と、マイクロホン１１１２と、イヤホンスピーカ１１１４と、ヘッドセットポート１１１６と、入力／出力インターフェース１１１８と、可撤性メモリカード１１２０と、ユニバーサルシリアルバス（ＵＳＢ）ポート１１２２と、短距離無線通信サブシステム１１２４と、アラート１１２６と、キーパッド１１２８と、タッチセンサ式表面を含んでもよい液晶ディスプレイ（ＬＣＤ）１１３０と、ＬＣＤコントローラ１１３２と、電荷結合素子（ＣＣＤ）カメラ１１３４と、カメラコントローラ１１３６と、グローバルポジショニングシステム（ＧＰＳ）センサ１１３８とを含んでもよい。ある実施形態では、ＵＥ１００１は、タッチセンサ式画面を提供しない、別の種類のディスプレイを含んでもよい。ある実施形態では、ＤＳＰ１１０２は、入力／出力インターフェース１１１８を通過せずに、メモリ１１０４と直接通信してもよい。
【００３３】
ＤＳＰ１１０２または何らかの他の形態のコントローラあるいは中央処理ユニットは、メモリ１１０４に記憶された、またはＤＳＰ１１０２自体内に含有されるメモリに記憶された、組み込みソフトウェアまたはファームウェアに従って、ＵＥ１００１の種々の構成要素を制御するように動作する。組み込みソフトウェアまたはファームウェアに加えて、ＤＳＰ１１０２は、メモリ１１０４に記憶された、または、可撤性メモリカード１１２０のような携帯用データ記憶媒体等の情報搬送波媒体を介して、あるいは有線または無線ネットワーク通信を介して利用可能となる、他のアプリケーションを実行してもよい。アプリケーションソフトウェアは、所望の機能性を提供するようにＤＳＰ１１０２を構成する、コンパイルされた一式の機械可読命令を備えてもよく、または、アプリケーションソフトウェアは、ＤＳＰ１１０２を間接的に構成するようにインタープリタまたはコンパイラによって処理される、高次ソフトウェア命令であってもよい。
【００３４】
アンテナおよびフロントエンドユニット１１０６は、無線信号と電気信号との間で変換するように提供されてもよく、ＵＥ１００１が、セルラーネットワークまたは何らかの他の利用可能な無線通信ネットワークから、あるいはピアＵＥ１００１から、情報を送受信することを可能にする。ある実施形態では、アンテナおよびフロントエンドユニット１１０６は、複数のアンテナを含み、ビーム形成および／または多重入出力（ＭＩＭＯ）動作をサポートしてもよい。当業者に公知であるように、ＭＩＭＯ動作は、困難なチャネル条件を克服する、および／またはチャネルスループットを増大させるために使用することができる、空間的多様性を提供してもよい。アンテナおよびフロントエンドユニット１１０６は、アンテナ同調および／またはインピーダンス整合構成要素、ＲＦ電力増幅器、および／または低雑音増幅器を含んでもよい。
【００３５】
ＲＦ送受信機１１０８は、周波数偏移を提供し、受信したＲＦ信号をベースバンドに変換し、ベースバンド送信信号をＲＦに変換する。いくつかの説明では、無線送受信機またはＲＦ送受信機は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等、他の信号処理機能性を含むと理解されてもよい。簡単にする目的で、ここでの説明は、ＲＦおよび／または無線段階から、この信号処理の説明を分離し、その信号処理を、アナログベースバンド処理ユニット１１１０および／またはＤＳＰ１１０２あるいは他の中央処理ユニットに概念的に割り当てる。いくつかの実施形態では、ＲＦ送受信機１１０８、アンテナおよびフロントエンド１１０６の複数部分、およびアナログベースバンド処理ユニット１１１０が、１つ以上の処理ユニットおよび／または特定用途向け集積回路（ＡＳＩＣ）に組み入れられてもよい。
【００３６】
アナログベースバンド処理ユニット１１１０は、入力および出力の種々のアナログ処理、例えば、マイクロホン１１１２およびヘッドセット１１１６からの入力と、イヤホン１１１４およびヘッドセット１１１６への出力のアナログ処理を提供してもよい。本目的のために、アナログベースバンド処理ユニット１１１０は、ＵＥ１００１を携帯電話として使用可能にする、内蔵マイクロホン１１１２およびイヤホンスピーカ１１１４への接続のためのポートを有してもよい。さらに、アナログベースバンド処理ユニット１１１０は、ヘッドセットまたは他のハンズフリーマイクロホンおよびスピーカ構成に接続するためのポートを含んでもよい。アナログベースバンド処理ユニット１１１０は、１つの信号方向にデジタル−アナログ変換を、反対の信号方向にアナログ−デジタル変換を提供してもよい。いくつかの実施形態では、アナログベースバンド処理ユニット１１１０の機能性の少なくとも一部が、デジタル処理構成要素によって、例えば、ＤＳＰ１１０２によって、または他の中央処理ユニットによって提供されてもよい。
【００３７】
ＤＳＰ１１０２は、変調／復調、符号化／復号、インターリービング／デインターリービング、拡散／逆拡散、逆高速フーリエ変換（ＩＦＦＴ）／高速フーリエ変換（ＦＦＴ）、周期的接頭辞添付／除去、および無線通信と関連する他の信号処理機能を行ってもよい。ある実施形態では、例えば、符号分割多重アクセス（ＣＤＭＡ）技術用途において、送信機機能のために、ＤＳＰ１１０２は、変調、符号化、インターリービング、および拡散を行ってもよく、受信機機能のために、ＤＳＰ１１０２は、逆拡散、デインターリービング、復号、および復調を行ってもよい。別の実施形態では、例えば、直交周波数分割多重アクセス（ＯＦＤＭＡ）技術用途において、送信機機能のために、ＤＳＰ１１０２は、変調、符号化、インターリービング、逆高速フーリエ変換、および周期的接頭辞添付を行ってもよく、受信機機能のために、ＤＳＰ１１０２は、周期的接頭辞除去、高速フーリエ変換、デインターリービング、復号、および復調を行ってもよい。他の無線技術用途では、さらに他の信号処理機能、および信号処理機能の組み合わせが、ＤＳＰ１１０２によって行われてもよい。
【００３８】
ＤＳＰ１１０２は、アナログベースバンド処理ユニット１１１０を介して、無線ネットワークと通信してもよい。いくつかの実施形態では、通信は、インターネット接続を提供し、ユーザがインターネット上のコンテンツへのアクセスを獲得すること、および電子メールまたはテキストメッセージを送受信することを可能にしてもよい。入力／出力インターフェース１１１８は、ＤＳＰ１１０２ならびに種々のメモリおよびインターフェースを相互接続する。メモリ１１０４および可撤性メモリカード１１２０は、ＤＳＰ１１０２の動作を構成するためのソフトウェアならびにデータを提供してもよい。とりわけ、インターフェースは、ＵＳＢインターフェース１１２２および短距離無線通信サブシステム１１２４であってもよい。ＵＳＢインターフェース１１２２を使用して、ＵＥ１００１を充電してもよく、また、ＵＥ１００１を周辺デバイスとして機能させ、パーソナルコンピュータまたは他のコンピュータシステムと情報を交換可能にしてもよい。短距離無線通信サブシステム１１２４は、赤外線ポート、Ｂｌｕｅｔｏｏｔｈインターフェース、ＩＥＥＥ８０２．１１準拠無線インターフェース、またはＵＥ１００１が他の近くのモバイルデバイスおよび／または無線基地局と無線通信することを可能にし得る、任意の他の短距離無線通信サブシステムを含んでもよい。
【００３９】
さらに、入力／出力インターフェース１１１８は、トリガされると、例えば、ベルを鳴らす、メロディを再生する、または振動することによって、ＵＥ１００１にユーザへ通知を提供させる、アラート１１２６にＤＳＰ１１０２を接続してもよい。アラート１１２６は、無音で振動することによって、または特定の発呼者に対して特定の事前に割り当てられたメロディを再生することによって、着信電話、新しいテキストメッセージ、および予約のリマインダ等の種々の事象のうちのいずれかをユーザに警告するための機構としての機能を果たしてもよい。
【００４０】
キーパッド１１２８は、インターフェース１１１８を介して、ＤＳＰ１１０２に連結し、ユーザが、選択を行う、情報を入力する、および別様にＵＥ１００１に入力を提供するための１つの機構を提供する。キーボード１１２８は、ＱＷＥＲＴＹ、Ｄｖｏｒａｋ、ＡＺＥＲＴＹ、および逐次タイプ等、完全または縮小英数字キーボード、または電話キーパッドと関連するアルファベット文字を伴う従来の数字キーパッドであってもよい。入力キーは、さらなる入力機能を提供するように内向きに押下され得る、トラックホイール、終了またはエスケープキー、トラックボール、および他のナビゲーションまたは機能キーを含んでもよい。別の入力機構は、ＬＣＤ１１３０であってもよく、このＬＣＤ１１３０は、タッチスクリーン能力を含み、また、ユーザにテキストおよび／またはグラフィックを表示し得る。ＬＣＤコントローラ１１３２は、ＤＳＰ１１０２をＬＣＤ１１３０に連結する。
【００４１】
ＣＣＤカメラ１１３４は、装備された場合、ＵＥ１００１がデジタル写真を撮ることを可能にする。ＤＳＰ１１０２は、カメラコントローラ１１３６を介して、ＣＣＤカメラ１１３４と通信する。別の実施形態では、電荷結合素子カメラ以外の技術に従って動作するカメラが採用されてもよい。ＧＰＳセンサ１１３８は、グローバルポジショニングシステム信号を復号するようにＤＳＰ１１０２に連結され、それによって、ＵＥ１００１がその位置を判定することを可能にする。また、種々の他の周辺機器が、付加的な機能、例えば、ラジオおよびテレビ受信を提供するように含まれてもよい。
【００４２】
図１２は、ＤＳＰ１１０２によって実装され得る、ソフトウェア環境１２０２を例証する。ＤＳＰ１１０２は、ソフトウェアの残りが動作する、プラットフォームを提供する、オペレーティングシステムドライバ１２０４を実行する。オペレーティングシステムドライバ１２０４は、ＵＥハードウェアのためのドライバに、アプリケーションソフトウェアにアクセス可能な標準インターフェースを提供する。オペレーティングシステムドライバ１２０４は、ＵＥ１００１上で起動するアプリケーション間の制御を転送する、アプリケーション管理サービス（「ＡＭＳ」）１２０６を含む。また、図１２に示されるのは、ウェブブラウザアプリケーション１２０８、メディアプレーヤアプリケーション１２１０、およびＪａｖａ（登録商標）アプレット１２１２である。ウェブブラウザアプリケーション１２０８は、ＵＥ１００１をウェブブラウザとして動作するように構成し、ユーザが、ウェブページを読み出し、表示するため情報をフォームに入力し、リンクを選択することを可能にする。メディアプレーヤアプリケーション１２１０は、音声または視聴覚媒体を読み出し、再生するようにＵＥ１００１を構成する。Ｊａｖａ（登録商標）アプレット１２１２は、ゲーム、ユーティリティ、および他の機能性を提供するようにＵＥ１００１を構成する。構成要素１２１４は、本明細書に記載の機能性を提供する場合がある。アプリケーション層に示されているが、構成要素１２１４は、ＵＥ１００１上の環境１２０２内の種々の層または他の場所に提供される場合がある。
【００４３】
上述のＵＥ１００１および他の構成要素は、上述の作用に関連する命令を実行可能な処理構成要素を含む場合がある。図１３は、本明細書に開示される１つ以上の実施形態を実装するために好適な処理構成要素１３１０を含む、システム１３００の実施例を例証する。プロセッサ１３１０（中央プロセッサユニットまたはＣＰＵと称され得る）に加えて、システム１３００は、ネットワーク接続デバイス１３２０と、ランダムアクセスメモリ（ＲＡＭ）１３３０と、読取専用メモリ（ＲＯＭ）１３４０と、二次記憶装置１３５０と、入力／出力（Ｉ／Ｏ）デバイス１３６０とを含む場合がある。ある場合には、これらの構成要素のうちのいくつかは、存在しなくてもよく、または相互の組み合わせ、もしくは図示されない他の構成要素との種々の組み合わせとして、組み合わされてもよい。これらの構成要素は、単一の物理エンティティ内、または２つ以上の物理エンティティ内に位置する場合がある。プロセッサ１３１０によって行われるとして本明細書に記載するいずれの動作も、プロセッサ１３１０のみ、または、図中に示される、もしくは示されない１つ以上の構成要素と協働するプロセッサ１３１０によって行われる場合がある。
【００４４】
プロセッサ１３１０は、それがネットワーク接続デバイス１３２０、ＲＡＭ１３３０、ＲＯＭ１３４０、または二次記憶装置１３５０（ハードディスク、フロッピー（登録商標）ディスク、または光ディスク等、種々のディスクベースのシステムを含む場合がある）からアクセスする場合がある、命令、コード、コンピュータプログラム、またはスクリプトを実行する。１つのＣＰＵ１３１０のみが示されているが、複数のプロセッサが存在してもよい。したがって、命令が、プロセッサによって実行されているように述べられ得るが、命令は、同時に、順次、あるいは別様に１つまたは複数のプロセッサによって実行されてもよい。プロセッサ１３１０は、１つ以上のＣＰＵチップとして実装されてもよい。
【００４５】
ネットワーク接続デバイス１３２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ）無線送受信機デバイス等の無線送受信機デバイス、マイクロ波アクセス用の世界的相互運用性（ＷｉＭＡＸ）デバイス、および／またはネットワークに接続するための他の公知のデバイスの形態を成してもよい。これらのネットワーク接続性デバイス１３２０によって、プロセッサ１３１０が、情報を受信する場合があるか、またはプロセッサ１３１０が情報を出力する場合がある、インターネット、あるいは１つ以上の電気無線通信ネットワークまたは他のネットワークと、プロセッサ１３１０が通信することを可能にしてもよい。
【００４６】
また、ネットワーク接続デバイス１３２０は、無線周波数信号またはマイクロ波周波数信号等の電磁波の形態で、データを無線で送信および／または受信することが可能な１つ以上の送受信機構成要素１３２５も含む場合がある。代替として、データは、導電体の表面内または上を、同軸ケーブル内、導波管内、光ファイバ等の光媒体内、あるいは他の媒体内を伝播してもよい。送受信機構成要素１３２５は、別個の受信および送信ユニット、または単一の送受信機を含んでもよい。送受信機１３２５によって送信または受信される情報は、プロセッサ１３１０によって処理されたデータ、またはプロセッサ１３１０によって実行される命令を含んでもよい。そのような情報は、例えば、コンピュータデータベースバンド信号または搬送波の中に具現化される信号の形態で、ネットワークから受信し、ネットワークに出力されてもよい。データは、データを処理または生成するか、あるいはデータを送信または受信するかのいずれかに対して、望ましいとされ得る、異なるシーケンスに従って順序付けられてもよい。ベースバンド信号、搬送波に統合される信号、あるいは現在使用されている、または今後開発される他の種類の信号は、送信媒体と称されてもよく、当業者に周知のいくつかの方法に従って生成されてもよい。
【００４７】
ＲＡＭ１３３０を使用して、揮発性データ、および可能性として、プロセッサ１３１０によって実行される命令を記憶する場合がある。ＲＯＭ１３４０は、典型的には、二次記憶装置１３５０のメモリ容量より小さいメモリ容量を有する、不揮発性メモリデバイスである。ＲＯＭ１３４０を使用して、命令、および可能性として、命令の実行中に読み取られるデータを記憶する場合がある。ＲＡＭ１３３０およびＲＯＭ１３４０の両方へのアクセスは、典型的には、二次記憶装置１３５０へのアクセスよりも高速である。二次記憶装置１３５０は、典型的には、１つ以上のディスクドライブまたはテープドライブから成り、ＲＡＭ１３３０が全ての作業用データを保持するのに十分大きくない場合、データの不揮発性保存用に、またはオーバーフローデータ記憶デバイスとして使用される場合がある。二次記憶装置１３５０は、プログラムが実行用に選択される時、ＲＡＭ１３３０へロードされるプログラムを記憶するために使用されてもよい。
【００４８】
Ｉ／Ｏデバイス１３６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープ読取機、プリンタ、ビデオモニタ他の公知の入出力デバイスを含んでもよい。また、送受信機１３２５は、ネットワーク接続デバイス１３２０の構成要素である代わりに、またはそれに加えて、Ｉ／Ｏデバイス１３６０の構成要素であると見なされる場合がある。Ｉ／Ｏデバイス１３６０の一部または全部は、ディスプレイ１００２および入力１００４等、ＵＥ１００１の上述の図面に描写される種々の構成要素に実質的に類似してもよい。
【００４９】
以下の第３世代パートナーシッププロジェクト（３ＧＰＰ）技術仕様書（ＴＳ）は、参照することにより本明細書に組み込まれる。ＴＳ２３．４０１、ＴＳ２３．２０３、およびＴＳ３６．３００は、全ての目的のために参照することにより本明細書に組み込まれる。
【００５０】
一実施形態では、中継ノード（ＲＮ）を備え、ＲＮは、拡張ノードＢ（ＥＮＢ）によって配分される複数のリソースブロック（ＲＢ）を、ＲＮと同じセル内の少なくとも１つのユーザ機器（ＵＥ）に割り当てるように構成される、ネットワークを提供する。
【００５１】
代替の実施形態では、拡張ノードＢ（ＥＮＢ）を備え、ＥＮＢは、複数のリソースブロック（ＲＢ）を中継ノード（ＲＮ）に配分するように構成され、ＲＢは、ＲＮと同じセル内の少なくとも１つのユーザ機器（ＵＥ）に割り当てられる、ネットワークを提供する。
【００５２】
別の実施形態では、時分割（ＴＤ）通信モードを選択するステップと、選択されたＴＤ通信モードに基づいて、リソーススケジューリングを使用するステップとを含む、ネットワーク内で通信するための方法を提供する。
【００５３】
別の実施形態では、信号間の実質的な干渉を低減するように、異なる時間に、異なる周波数を使用して、少なくとも１つの中継ノード（ＲＮ）と少なくとも１つの第１のユーザ機器（ＵＥ）との間、ＲＮと拡張ノードＢ（ＥＮＢ）との間、およびＥＮＢと少なくとも１つの第２のＵＥとの間で、信号を交換するステップを含む、方法を提供する。
【００５４】
本開示において複数の実施形態を提供してきたが、開示されたシステムおよび方法は、本発明の精神または範囲から逸脱することなく、多数の他の特定の形態で具体化されてもよいことを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略するか、または実装しなくてもよい。
【００５５】
また、離散したものまたは別個のものとして種々の実施形態の中で説明および例証される技術、システム、サブシステム、および方法は、本開示の範囲から逸脱することなく、他のシステム、モジュール、技術、または方法と組み合わせても、または一体化してもよい。連結もしくは直接連結または相互に通信するように図示または説明される他のアイテムは、電気的、機械的、またはその他の方法かどうかにかかわらず、何らかのインターフェース、デバイス、または中間構成要素を通して、間接的に連結または通信してもよい。変更、置換、および改変の他の例は、当業者により解明可能であり、本明細書で開示される精神および範囲から逸脱することなく行うことができる。
【図１】
0005305491.tif 000002
【図２】
0005305491.tif 000003
【図３】
0005305491.tif 000004
【図４】
0005305491.tif 000005
【図５】
0005305491.tif 000006
【図６】
0005305491.tif 000007
【図７】
0005305491.tif 000008
【図１０】
0005305491.tif 000009
【図８】
0005305491.tif 000010
【図９】
0005305491.tif 000011
【図１１】
0005305491.tif 000012
【図１２】
0005305491.tif 000013
【図１３】
0005305491.tif 000014